(57)【特許請求の範囲】
【請求項１】
拡張電子回路基板を金属プレートに取り付け、その金属プレートを電子機器本体内に挿脱自在に取り付けてなる電子機器において、
前記金属プレートの板面にフックを形成する一方、
前記電子機器本体にブラケットとフレームとを備え、
そのブラケットの板面に形成するガイドに前記フックをはめ付けて前記ガイドで案内することにより前記電子機器本体内に挿入して前記金属プレートを取り付けたとき、その金属プレートと前記ブラケットの互いの板面を対向して設け、
その対向板面間に、前記電子機器本体内に取り付けた前記金属プレートを押さえ付けるとともに、前記拡張電子回路基板をアースする付勢部材を設け、
前記ブラケットを挟んで前記金属プレートと反対側で前記フレームにねじ止めして前記金属プレートを固定してなる、電子機器。
【請求項２】
前記金属プレートの表裏面それぞれに前記拡張電子回路基板を取り付けてなる、請求項１に記載の電子機器。
【請求項３】
前記ブラケットの一端を前記電子機器本体の底板に取り付け、他端を自由端としてなる、請求項１、または２に記載の電子機器。
【発明の詳細な説明】
【０００１】
【発明の属する技術分野】
この発明は、コピー、プリンタ、ファクシミリ、もしくはそれらの複合機などの画像形成装置、またはコンピュータ、ゲーム機など、機能拡張のために用意した拡張電子回路基板を機器本体に対して挿脱可能とする電子機器に関する。
【０００２】
【従来の技術】
近年、電子機器の中には、機器本体に対して拡張電子回路基板を挿脱自在としてその機器本体内に備える、ＩＣを搭載した主制御回路基板に着脱可能とし、さまざまなオプション機能を発揮できるようにしたものがある。
【０００３】
例えば一例として、電子写真式のデジタルコピー機にファクシミリ機能を付加するときは、図６に示すように、機器本体１の後カバー２と左カバー３を開け、まず機器本体１内に、画像処理、データの圧縮／再生、通信制御機能を付加する第１の拡張電子回路基板ａを固定する。次いで、電話回線の直流回路の閉結、保持、開放、ダイヤルパルス信号の生成等の機能を付加する第２の拡張電子回路基板ｂを固定し、その後、送信時のモニター機能を付加するスピーカｃを固定していた。
【０００４】
それから、主制御回路基板ｄと第１の拡張電子回路基板ａとを電線４で接続し、第１の拡張電子回路基板ａと第２の拡張電子回路基板ｂとを電線５で接続し、また第１の拡張電子回路基板ａとスピーカｃとを電線６で接続する。次に、後カバー２と左カバー３とを閉めてから、第２の拡張電子回路基板ｂに、電話機７および公衆回線８を接続していた。
【０００５】
しかし、このような従来の電子機器では、拡張電子回路基板ａ・ｂやスピーカｃを取り付けたり取り外したりするとき、後カバー２や左カバー３を開けなければならず、また個々の拡張電子回路基板ａ・ｂやスピーカｃをそれぞれ個別に機器本体１内の所定の位置に取り付けたり取り外したりしなければならない面倒があった。
【０００６】
従来の電子機器の中には、例えば特開２０００−２１６５６８号公報に記載されるように、機器本体に対して挿脱するとき、拡張電子回路基板を機器本体内のガイドで案内するようにしたものもある。
【０００７】
【発明が解決しようとする課題】
ところが、このような従来の電子機器には、拡張電子回路基板を単体で取り扱うから、加えて、輸送時に衝撃を受けたときや、機器本体に対する挿脱時に、拡張電子回路基板にストレスが加わる問題があった。
【０００８】
そこで、この発明の第１の課題は、拡張電子回路基板を着脱可能とする電子機器において、輸送時に衝撃を受けたときや、機器本体に対する挿脱時に加わるストレスから拡張電子回路基板を保護することにある。
【０００９】
この発明の第２の課題は、加えて、拡張電子回路基板の着脱時に、機器本体の複数のカバーを開ける面倒をなくすとともに、個々の拡張電子回路基板をそれぞれ個別に取り付けたり取り外したりする面倒をなくし、メンテナンス性を向上することにある。
【００１０】
この発明の第３の課題は、加えて、拡張電子回路基板を的確に案内し、機器本体内で確実に位置決め固定して破損を防止することにある。
【００１１】
この発明の第４の課題は、加えて、アースの信頼性を向上することにある。
【００１２】
この発明の第５の課題は、輸送時の衝撃や機器本体に対する挿脱時に加わるストレスから拡張電子回路基板を保護する電子機器の拡張電子回路基板取付方法を提供することにある。
【００１３】
この発明の第６の課題は、機器本体に対する挿脱時に、拡張電子回路基板を的確に案内し、拡張電子回路基板に加わるストレスをなくすとともに、機器本体取り付け後に機器本体内で確実に位置決め固定して破損を防止する電子機器の拡張電子回路基板取付方法を提供することにある。
【００１４】
【課題を解決するための手段】
そのため、請求項１に記載の発明は、上述した第１の課題を解決すべく、拡張電子回路基板を金属プレートに取り付け、その金属プレートを電子機器本体内に挿脱自在に取り付けてなる電子機器において、
金属プレートの板面にフックを形成する一方、
電子機器本体にブラケットとフレームとを備え、
そのブラケットの板面に形成するガイドにフックをはめ付けてガイドで案内することにより電子機器本体内に挿入して金属プレートを取り付けたとき、その金属プレートとブラケットの互いの板面を対向して設け、
その対向板面間に、電子機器本体内に取り付けた金属プレートを押さえ付けるとともに、拡張電子回路基板をアースする付勢部材を設け、
ブラケットを挟んで金属プレートと反対側でフレームにねじ止めして金属プレートを固定してなる、ことを特徴とする。
【００１５】
請求項２に記載の発明は、上述した第２の課題を解決すべく、請求項１に記載の電子機器において、金属プレートの表裏面それぞれに拡張電子回路基板を取り付けてなる、ことを特徴とする。
【００１６】
請求項３に記載の発明は、請求項１、または２に記載の電子機器において、ブラケットの一端を電子機器本体の底板に取り付け、他端を自由端としてなる、ことを特徴とする。
【００２０】
【発明の実施の形態】
以下、図面を参照しつつ、この発明の実施の形態につき説明する。
図１には、この発明に係る電子写真式デジタルコピー機における概略内部構成を示す。
【００２１】
図中符号１００は、コピー機器本体である。機器本体１００は、その上にスキャナ装置２００を取り付け、給紙装置３００上に載置してなる。
【００２２】
機器本体１００内には、プロセスカートリッジ１０を備える。プロセスカートリッジ１０には、カートリッジケース１１内にドラム状の像担持体１２を設け、そのまわりに帯電装置１３と現像装置１４とクリーニング装置１５を備える。帯電装置１３は、ローラ状で、像担持体１２に接触して設ける。現像装置１４には現像ローラ１６などを、クリーニング装置１５にはクリーニングブレード１７などを備える。
【００２３】
そのようなプロセスカートリッジ１０の像担持体１２には、ローラ状の転写装置１８を接触する。そして、それら像担持体１２と転写装置１８とが接触する位置を転写位置とし、その転写位置を通って機器本体１００を下方から上方へとのびるシート搬送路ｐを設ける。
【００２４】
シート搬送路ｐには、転写位置の手前にレジストローラ対１９を備える。転写位置の先には、定着装置２０、排紙ローラ対２１を備える。排紙ローラ対２１の先には、機器本体１００とスキャナ装置２００との間に、複写済みシートをスタックする胴内排紙部２２を設ける。定着装置２０には、定着ローラ２４と加圧ローラ２５を備える。
【００２５】
このような機器本体１００内には、他に、レーザ露光装置２６、プロセスカートリッジ１０の現像装置１３にトナーを補給するトナーボトル２７、ＰＳＵ（電源ユニット）２８、給紙カセット２９を備える。給紙カセット２９は、底部において正面側から出し入れ自在とし、その上にセットした積載シートｓを給紙ローラ３０で一枚ずつ分離して繰り出し可能とする。
【００２６】
また、機器本体１００の右側には、手差し給紙トレイ３２を開閉自在に備え、その手差し給紙トレイ３２上にセットした積載シートｓを一枚ずつ分離して繰り出す給紙ローラ３３を備える。
【００２７】
スキャナ装置２００には、コンタクトガラス３５の下に、光源３６、複数のミラー３７、結像レンズ３８、ＣＣＤ等のイメージセンサ３９などを備える。そして、コンタクトガラス３５に沿って光源３６を移動し、光源３６からの光をコンタクトガラス３５上の原稿面で反射し、その反射光をミラー３７で反射して結像レンズ３８で結像し、イメージセンサ３９で読み取る。
【００２８】
給紙装置３００には、正面側から出し入れ自在に給紙カセット４２を備え、その給紙カセット４２上にセットした積載シートｓを一枚ずつ分離して繰り出す給紙ローラ４３を備える。
【００２９】
さて、いまこのレーザコピーを用いてコピーをとるときは、コンタクトガラス３５上に原稿をセットして圧板４５で押さえ、不図示のスタートスイッチを押す。そして、スキャナ装置２００を駆動して、コンタクトガラス３５上にセットした原稿上の画像を読み取る。
【００３０】
同時に、給紙ローラ３０・４３・３３のうちの１つを回転し、給紙カセット２９・４２または手差し給紙トレイ３２からシートｓを繰り出し、シート搬送路ｐを通してレジストローラ１９に突き当てて止める。
【００３１】
また、像担持体１２を回転駆動し、その像担持体１２の回転とともに、帯電装置１３でその表面を一様に帯電する。次いで、スキャナ装置２００からの信号に基づきその読み取り内容に応じてレーザ露光装置２６でレーザ光を照射して書込みを行い、像担持体１２上に静電潜像を形成する。続いて、現像装置１４の現像ローラ１６でトナーを付着してその静電潜像を現像し、像担持体１２上にトナー画像を形成する。
【００３２】
そして、像担持体１２の回転にタイミングを合わせてレジストローラ１９を回転し、機器本体１００内で下方から上方へと搬送してシートｓをまず転写位置へと導き、像担持体１２上に形成したトナー画像を転写装置１８で該シートｓへと転写する。
【００３３】
画像転写後のシートｓは、定着装置２０に入れ、定着ローラ２４と加圧ローラ２５とで熱と圧力とを加えて転写画像を定着する。そして、排紙ローラ対２１で機器本体１００外に排出して複写済みシートｓを胴内排紙部２２上にスタックする。
【００３４】
一方、画像転写後の像担持体１２は、回転とともに、表面上の残留トナーをクリーニング装置１５のクリーニングブレード１７で掻き落として除去する。その後、不図示の除電装置で除電し、帯電からはじまる再度の画像形成に備える。
【００３５】
ところで、このデジタルコピー機にファクシミリ機能を付加するときには、例えば図２に示すように、機器本体１００内にＦＡＸ拡張キット５０を挿脱自在に取り付ける。
【００３６】
ＦＡＸ拡張キット５０を挿脱自在とすべく、機器本体１００内には、底板４６上にねじ止めして電源保持ブラケット４７を立てる。電源保持ブラケット４７には、その表側に図１に示すように、上述したＰＳＵ２８を取り付ける一方、裏側には図２に示すように、切り起こして内向きに曲げた２つのＬ型レール状ガイド４８を、前後にのばして平行に形成する。
【００３７】
他方、ＦＡＸ拡張キット５０は、図３および図４に示すように、大きな１枚の金属プレート５２の一面に、第１の拡張電子回路基板５３およびスピーカ５４を取り付ける。図示例では、第１の拡張電子回路基板５３は、画像処理、データの圧縮／再生、通信制御機能を付加するファクシミリコントロールボードである。スピーカ５４は、送信時のモニター機能を付加するものである。
【００３８】
金属プレート５２の他面には、第２の拡張電子回路基板５５および３つのアース板ばね５６を取り付ける。図示例では、第２の拡張電子回路基板５５は、電話回線の直流回路の閉結、保持、開放、ダイヤルパルス信号の生成等の機能を付加するネットワークコントロールボードであり、その上にはモジュラジャックコネクタ５７を取り付けてなる。そのモジュラジャックコネクタ５７を保護するように、金属プレート５２の片側には、ガード板５８を取り付ける。
【００３９】
また、３つのアース板ばね５６は、先端に湾曲部５９を設けて細長につくり、金属プレート５２に沿わせて、金属プレート５２の上、中、下段において互いに平行に配置し、基端部をねじ止めして取り付ける。それらの板ばね５６間には、金属プレート５２の一部を切り起こして外向きに曲げ、２つのＬ型レール状フック６０を平行に形成してなる。
【００４０】
そして、第１の拡張電子回路基板５３と第２の拡張電子回路基板５５とを、また第１の拡張電子回路基板５３とスピーカ５４とを各々不図示の電線を用いて電気的に接続する。さらに、第１の拡張電子回路基板５３、スピーカ５４、および第２の拡張電子回路基板５５を、それぞれ金属プレート５２にアース接続する。
【００４１】
その後、図２に示すように、フック６０をガイド４８にはめ付け、そのガイド４８で案内して機器本体１００内にＦＡＸ拡張キット５０を挿入し、ガード板５８を機器本体１００のフレーム６２に突き当てる。
【００４２】
そして、第１の拡張電子回路基板５３を、機器本体１００内の不図示の主制御回路基板と不図示の電線を用いて電気的に接続してから、ＦＡＸ拡張キット５０のガード板５８をフレーム６２に２つの取付ねじ６３を用いて固定する。なお、第１の拡張電子回路基板５３と主制御回路基板とは、互いの基板上に取り付けたコネクタをＦＡＸ拡張キット５０の挿入により直接接続するようにしてもよい。
【００４３】
このとき、３つのアース板ばね５６は、図５に示すように、その湾曲部５９が電源保持ブラケット４７に押し当たり、付勢力でＦＡＸ拡張キット５０を押さえ付ける。また、電源保持ブラケット４７に接触することで、アース板ばね５６を介して金属プレート５０を確実にアースする。
【００４４】
それから、機器本体１００に不図示の後カバーを取り付け、モジュラジャックコネクタ５７に電話機および公衆回線を接続する。
【００４５】
なお、上述した例では、アース板ばね５６を金属プレート５２に取り付けたが、機器本体１００側の、例えば電源保持ブラケット４７などに取り付けるようにしてもよい。
【００４６】
【発明の効果】
以上説明したとおり、請求項１に係る発明によれば、拡張電子回路基板を金属プレートに取り付け、その金属プレートを電子機器本体内に挿脱自在に取り付けるから、拡張電子回路基板を着脱可能とする電子機器において、輸送時に衝撃を受けたときや、機器本体に対する挿脱時に加わるストレスから拡張電子回路基板を保護することができる。
【００４７】
請求項２に係る発明によれば、金属プレートの表裏面それぞれに拡張電子回路基板を取り付けるから、上述した請求項１に係る発明の効果に加えて、拡張電子回路基板の着脱時に、機器本体の複数のカバーを開ける面倒をなくすとともに、個々の拡張電子回路基板をそれぞれ個別に取り付けたり取り外したりする面倒をなくし、メンテナンス性を向上することができる。
【００４８】
加えて、請求項１に係る発明によれば、挿脱するとき金属プレートを案内するガイドを電子機器本体内に設けるとともに、その電子機器本体内に取り付けた金属プレートを押さえ付ける付勢部材を、金属プレートまたは機器本体側に設けるから、加えて、拡張電子回路基板を的確に案内し、機器本体内で確実に位置決め固定して破損を防止することができる。
【００４９】
さらに、請求項１に係る発明によれば、拡張電子回路基板を金属プレートから付勢部材を介してアースするから、加えて、アースの信頼性を向上することができる。
【図面の簡単な説明】
【図１】この発明に係る電子写真式デジタルコピー機における概略内部構成図である。
【図２】そのコピー機器本体へのＦＡＸ拡張キットの取り付けを示す斜視図である。
【図３】そのＦＡＸ拡張キットの平面図である。
【図４】その正面図である。
【図５】その取り付け状態説明図である。
【図６】従来の拡張電子回路基板の取り付け状態説明図である。
【符号の説明】
１００  コピー機器本体（電子機器本体）
２００  スキャナ装置
３００  給紙装置
４７    電源保持ブラケット
４８    ガイド
５０    ＦＡＸ拡張キット
５２    金属プレート
５３    第１の拡張電子回路基板
５４    スピーカ
５５    第２の拡張電子回路基板
５６    アース板ばね（付勢部材）
５７    モジュラジャックコネクタ
５８    ガード板
６０    フック
６２    フレーム
６３    取付ねじ
【図１】
0003986259.tif 000002
【図２】
0003986259.tif 000003
【図３】
0003986259.tif 000004
【図４】
0003986259.tif 000005
【図５】
0003986259.tif 000006
【図６】
0003986259.tif 000007